【事件の表示】
　平成　７年特許願第１３１２９８号「音声符号化装置」拒絶査定に対する審判事件〔平成　８年１２月１３日出願公開、特開平　８−３２８５９５、請求項の数（４）〕について、次のとおり審決する。
【結　論】
　原査定を取り消す。
　本願の発明は、特許すべきものとする。
【理　由】
第１　本願発明
　本願は、平成７年５月３０日の出願であって、その請求項１乃至４に係る発明（以下まとめて「本願発明」という）は、次に掲げるものである。
「【請求項１】　入力音声を線形予測分析することにより音声合成フィルタを構成し、コードブックに蓄積されている符号ベクトルと、音声合成フィルタとに基づいて音声を再生し、再生された音声と入力音声とに基づいて音声を符号化する音声符号化装置において、
　有声音のピッチ波形に対する複数種類の符号ベクトルが記憶されたパルスコードブックが設けられており、インパルス列の探索によって選択されたインパルス列に基づいて、パルスコードブックから読み出された符号ベクトルが周期化されることを特徴とする音声符号化装置。
【請求項２】　入力音声を線形予測分析することにより、音声合成フィルタを構成し、過去の励振信号に対応する符号ベクトルを記憶する適応コードブックと、雑音に対する符号ベクトルが記憶された雑音コードブックとを含むコードブックから読み出された符号ベクトルと、音声合成フィルタとに基づいて音声を再生し、再生された音声と入力音声とに基づいて音声を符号化する音声符号化装置において、
　有声音のピッチ波形に対する複数種類の符号ベクトルが記憶されたパルスコードブックが、雑音コードブックに対して補完的に設けられており、
　パルスコードブックから読み出された符号ベクトルに基づいて再生音声を作成するにあたっては、入力音声のピッチ周期間隔でインパルスが発生するインパルス列であって初期位置が互いに異なる複数種類のインパルス列と、音声合成フィルタとに基づいて、各インパルス列に対応する再生音声がそれぞれ作成され、再生音声と入力音声との歪が最も小さくなるインパルス列が選択され、パルスコードブックから読み出された符号ベクトルが、選択されたインパルス列に基づいて、周期化されることを特徴とする音声符号化装置。
【請求項３】　入力音声を線形予測分析することにより、音声合成フィルタを作成する手段、
　過去の励振信号に対応する符号ベクトルが記憶された適応コードブックから切り出し位置を変えて複数の符号ベクトルを順次切り出し、切り出された各符号ベクトルで音声合成フィルタを駆動することによって、切り出された各符号ベクトルに対応する再生音声をそれぞれ作成し、再生音声と入力音声との歪が最も小さくなる符号ベクトルを探索する第１探索手段、ならびに、
　雑音に対する複数種類の符号ベクトルが記憶された雑音コードブックおよび有声音のピッチ波形に対する複数種類の符号ベクトルが記憶されたパルスコードブックから、各符号ベクトルを順次読み出し、読み出された各符号ベクトルと、音声合成フィルタとに基づいて、読み出された各符号ベクトルに対応する再生音声をそれぞれ作成し、再生音声と入力音声との歪が最も小さくなる符号ベクトルを探索する第２探索手段を備え、
　第２探索手段は、パルスコードブックから読み出された符号ベクトルに基づいて再生音声を作成するにあたり、入力音声のピッチ周期間隔でインパルスが発生するインパルス列であって初期位置が互いに異なる複数種類のインパルス列と、音声合成フィルタとに基づいて、各インパルス列に対応する再生音声をそれぞれ作成し、再生音声と入力音声との歪が最も小さくなるインパルス列を選択し、パルスコードブックから読み出された符号ベクトルを、選択されたインパルス列に基づいて、周期化する手段を備えている音声符号化装置。
【請求項４】　入力音声を線形予測分析することにより、音声合成フィルタを作成する手段、
　過去の励振信号に対応する符号ベクトルが記憶された適応コードブックから、切り出し位置を変えて複数の符号ベクトルを順次切り出し、切り出された各符号ベクトルで音声合成フィルタを駆動することによって、切り出された各符号ベクトルに対応する再生音声をそれぞれ作成し、各再生音声と入力音声との歪を算出するとともに、複数種類の符号ベクトルが記憶された固定コードブックから符号ベクトルを順次読み出し、読み出された符号ベクトルで音声合成フィルタを駆動することによって、読み出された各符号ベクトルに対応する再生音声をそれぞれ作成し、各再生音声と入力音声との歪を算出し、適応コードブックから切り出された符号ベクトルおよび固定コードブックから読み出された符号ベクトルのうち、歪算出結果が最小であるものを探索する第１探索手段、ならびに、
　雑音に対する複数の符号ベクトルが記憶された雑音コードブックおよび有声音のピッチ波形に対する複数種類の符号ベクトルが記憶されたパルスコードブックから、各符号ベクトルを順次読み出し、読み出された各符号ベクトルと音声合成フィルタとに基づいて、読み出された各符号ベクトルに対応する再生音声をそれぞれ作成し、再生音声と入力音声との歪が最も小さくなる符号ベクトルに対する符号を探索する第２探索手段を備え、
　第２探索手段は、パルスコードブックから読み出された符号ベクトルに基づいて再生音声を作成するにあたり、入力音声のピッチ周期間隔でインパルスが発生するインパルス列であって初期位置が互いに異なる複数種類のインパルス列と、音声合成フィルタとに基づいて、各インパルス列に対応する再生音声をそれぞれ作成し、再生音声と入力音声との歪が最も小さくなるインパルス列を選択し、パルスコードブックから読み出された符号ベクトルを、選択されたインパルス列に基づいて、周期化する手段を備えている音声符号化装置。」
　
第２　刊行物発明、及び、本願発明と刊行物発明との対比・検討
１　刊行物
　原審の拒絶理由で引用した刊行物１ないし４は次に掲げるものである。
　１．特開平０５−１６５４９７号公報
　２．特開平０６−１９５０９８号公報
　３．特開平０６−１３０９９６号公報
　４．特開平０５−２８９６９８号公報
　
　引用文献１には、ＣＥＬＰ符号化時に有声音の定常に寄与する、孤立インパルスでなるパルス性コードを格納するパルス性コードブックを設け、パルス性コードを探索して当該コードを転送し周波数特性操作部にて入力音声信号の周波数特性に近付けるようにできている音声符号化装置が記載されている。
　引用文献２には、パルスコードが雑音コードブックに対して補完的に用いられ、パルス情報コードブックは、先頭パルス位置とパルス間隔の２つの情報を持ち、パルスコードが音声の周波数に合わせて選択される音声符号化装置が記載されている。
　引用文献３には、コードブックから読み出されるベクトルの切りだし位置の制御を行う音声符号化装置が記載されている。
　引用文献４には、適応コードブックに固定コードブックを付加し、さらに雑音コードブックと組み合わせる音声符号化装置が記載されている。
　
２　本願発明と刊行物発明との対比・検討
　本願発明と刊行物１ないし４の発明とを対比・検討すると、刊行物１ないし４の発明は、本願発明における次に掲げる主要な事項を具備していないし、刊行物１ないし４には、この主要な事項を示唆する記載もなされていない。
「有声音のピッチ波形に対する複数種類の符号ベクトルが記憶されたパルスコードブックが設けられて」いる点
　すなわち、刊行物１のパルスコードブックそのものは孤立インパルスについてのものであり、刊行物２のパルスコードは先頭パルス位置をパルス間隔についてのものでしかない。また、他の刊行物にも上記点について記載も示唆もない。
　そして、上記主要な事項により、本願発明は、明細書記載の顕著な効果を奏するものである。
　したがって、本願発明は、刊行物１ないし４の発明に基いて当業者が容易に発明をすることができたものということができない。
　
第３　むすび
　以上、本願発明は、刊行物に記載された発明に基いて当業者が容易に発明をすることができたものということができない。
　また、他に本願発明に係る特許を拒絶する理由を発見しない。
　よって、結論のとおり審決する。